(57)【要約】【課題】ケーブルの径のダウンサイジングで有りながら高性能な信号伝送と光通信が同時に行うことが可能な多信号同軸ケーブルを提供する。【解決手段】多信号同軸ケーブル１は、電気信号を伝える中心導体２と、中心導体２の周囲に中心導体２の軸方向にらせん状に巻着した光ファイバー３と、中心導体２と光ファイバー３を覆う中空導体４と、中空導体４を覆う絶縁性のシース５と、を備えた多信号伝送ケーブルである。【選択図】図１
2017027795.tif 000002
【特許請求の範囲】
【請求項１】
電気信号を伝える中心導体と、
前記中心導体の周囲に前記中心導体の軸方向にらせん状に巻着した光ファイバーと、
前記中心導体と前記光ファイバーを覆う中空導体と、
前記中空導体を覆う絶縁性のシースと、
を備えた多信号同軸ケーブル。
【請求項２】
前記中空導体の周囲を覆うシースと、
前記シースの周囲に取り付けられオスコネクターかしめリングを備えた多信号同軸ケーブル。
【請求項３】
請求項１または請求項２において、前記多信号同軸ケーブルと共に用いられる、オスコネクター、または、メスコネクター。
【発明の詳細な説明】
【技術分野】
【０００１】
本発明は、同軸ケーブルと光ファイバーケーブルを一体化して構成した多信号同軸ケーブルに関する。
【背景技術】
【０００２】
従来、同軸ケーブルと光ファイバーケーブルを一体化して構成した光／同軸複合ケーブルが用いられている。特許文献１には、光／同軸複合ケーブルは、予め同軸ケーブルと光ファイバーケーブルが分離されているので、中継アンプ等に対する持続作業を容易かつ能率的に行うことができるようになる。そして、同軸ケーブル、光ファイバーケーブルは中継アンプなどの筐体にそれぞれ個別に導入される。そして、筐体内における光ファイバーケーブルの分離／導入のためのスペースを必要としないので、筐体を小型化することが可能である。また、同軸ケーブル、光ファイバーケーブルが予め分離されていることから、同時ケーブル用のアンプ、光ファイバーケーブルの収納体などを別個に構成して、伝送システム経路を容易に分離できるようになっている。
【先行技術文献】
【特許文献】
【０００３】
【特許文献１】特開平９−３５５４８号公報
【発明の概要】
【発明が解決しようとする課題】
【０００４】
多信号同軸ケーブルは、ＧＰＳ信号受信と通信機器の光伝送いわゆる通信用基地局内接続、アンテナライン、計測器内配線、等、ＧＨｚ帯高周波接続に使用されます。信号以外に電源の伝送も可能なものもある。特許文献１に開示される通常の同軸ケーブルと光ファイバー複合でケーブルを構成すると、ケーブル外径に制約が生じ細く高性能な信号伝送を行うことができない。  
そこで、本発明の目的は、ケーブルの径のダウンサイジングで有りながら高性能な信号伝送と光通信が同時に行うことが可能な多信号同軸ケーブル、および、前記多信号同軸ケーブルと共に用いる、オスコネクターまたはメスコネクターを提供することである。
【課題を解決するための手段】
【０００５】
本発明は、電気信号を伝える中心導体と、前記中心導体の周囲に前記中心導体の軸方向にらせん状に巻着した光ファイバーと、前記中心導体と前記光ファイバーを覆う中空導体と、前記中空導体を覆う絶縁性のシースと、を備えた多信号同軸ケーブルであることを特徴とする。
【０００６】
本発明は、前記多信号同軸ケーブルに、前記中空導体の周囲を覆うシースと、前記シースの周囲に取り付けられオスコネクターかしめリングを備えてもよい。
【０００７】
また、本発明に係る前記多信号同軸ケーブルは、前記多信号同軸ケーブルと共に用いられる、オスコネクター、または、メスコネクターと共に用いてもよい。
【発明の効果】
【０００８】
本発明により、ケーブルの径のダウンサイジングで有りながら高性能な信号伝送と光通信が同時に行うことが可能な多信号同軸ケーブルを提供できる。
【図面の簡単な説明】
【０００９】
【図１】本発明の実施形態の多信号同軸ケーブルを示す斜視図である。
【図２】図１に示されるオス側コネクターの断面図である。
【図３】図１に示されるメス側コネクターの断面図である。
【発明を実施するための形態】
【００１０】
図１は本発明の実施形態の多信号同軸ケーブルを示す斜視図である。図２は図１に示されるオスコネクターの断面図である。図３は図１に示されるメスコネクターの断面図である。
【００１１】
多信号同軸ケーブル１は、電気信号を伝送する同軸中心導体２（例、銅線）、光信号を伝送する光ファイバー３を含んで構成される。光ファイバー３は同軸中心導体２の周囲に、同軸中心導体２の軸方向にらせん状に巻着されている。
【００１２】
同軸中心導体２は裸銅線でも良いし、ポリエチレンなどの絶縁物質で被覆をしても良い。用いられる光ファイバー３の径は多信号同軸ケーブルが要求する電気特性による。同軸中心導体２と光ファイバー３は、中空導体４によって軸方向に包み込まれている。中空導体４はステンレスまたは銅で構成された中空導体である。中空導体４として、例えば、特開平１１−２５７５８号公報に開示される中空圧縮撚線を用いることができる。その外周面に銅メッキを施しても良い。
【００１３】
中空導体４は金属製であるから、外部からの押圧に対して強度を有する。多信号同軸ケーブル１は、中空導体４の外周にその表面を保護するために、ゴムなどの絶縁性物質からなるシース（ジャケット）５を備えている。
【００１４】
多信号同軸ケーブル１の端部には、オスコネクター１０またはメスコネクター２０が取り付けられてもよい。図１は、多信号同軸ケーブル１の端部にオスコネクター１０が取り付けられる構成を示している。オスコネクター１０のボディは絶縁性の樹脂で構成されている。
【００１５】
オスコネクター１０のボディの一端側の壁部には、同軸中心導体２の端部と、複数本の光ファイバー３のそれぞれが挿通する孔が複数設けられている。中心には、同軸中心導体２が挿通する孔、その周囲には複数本の光ファイバー３が各１本挿通する孔が配置されている。ボディに挿入された同軸中心導体２の先端部には同軸用中心コンタクト１１が装着される。オスコネクター１０のボディの外周部１３には軸方向に延びるキー１２が設けられている。オスコネクター１０と多信号同軸ケーブル１とは、オスコネクターカシメリング６によって、固定されている。
【００１６】
メスコネクター２０のボディは、中央部２４と外周部２５の間に溝が形成された部材から構成されている。中央部２４には、同軸用中心コンタクト１１が挿入される、同軸用中心コンタクト挿入孔２１が設けられている。同軸用中心コンタクト挿入孔２１の内周面には、同軸用中心コンタクト１１と電気的に接続される導体が貼り付けられている。外周部２５の内面の軸方向に沿ってキー溝２３が設けられている。
【００１７】
多信号同軸ケーブル１の端部に取り付けられたオスコネクター１０を、メスコネクター２０に結合すると、オスコネクター１０の外周部１３が、メスコネクター２０の溝２６に侵入（キー１２は、キー溝２３に侵入）する。同軸用中心コンタクト１１は、メスコネクター２０の中央部２４に設けられた同軸用中心コンタクト挿入孔２１に侵入する。光ファイバー３の端部（光ファイバー３の端部であるコネクター挿入部がリジッドなものも含む）は光ファイバー挿入孔２２に侵入する。メスコネクター２０の、光ファイバー挿入孔２２には光ファイバー（図示せず）が装着されていることから、オスコネクター１０の光ファイバー３と光結合する。
【００１８】
本発明に係る多信号同軸ケーブル１の使用される分野として、研究機関、原子力発電所、スーパーカミオカンデ装置などでの使用が期待されている。
【符号の説明】
【００１９】
１  多信号同軸ケーブル
２  同軸中心導体
３  光ファイバー
４  中空導体
５  シース
６  オスコネクターカシメリング
１０  オスコネクター
１１  同軸用中心コンタクト
１２  キー
１３  外周部
２０  メスコネクター
２１  同軸用中心コンタクト挿入孔
２２  光ファイバー挿入孔
２３  キー溝
２４  中央部
２５  外周部
２６  溝
【図１】
2017027795.tif 000003
【図２】
2017027795.tif 000004
【図３】
2017027795.tif 000005